(57)【要約】      （修正有）【課題】息吹き込みに依らない演奏ができるハーモニカ楽器であり、且つ風呂場あるいは水辺でも興ずることのできる楽器玩具を提供する。【解決手段】空気等気体を密閉できる２つ以上の連結する複数の袋部１，２に、空気を充満密閉させて主なる袋体に複数の別の袋体各々が主なる袋部に各々連結する貫通した連結部５を備えて空気の流れが互い行き来できる構造とし、貫通する連結部に空気の流れで音を発生できる発音体７を固定して音を発生させる。空気は外部に漏れないように栓をして密閉したので、子袋部を押したり叩いたりする度に空気が貫通する連結する袋部間を行き来する気流で発音体から音をだし演奏できる。【選択図】図１
0003171572.tif 000002
【実用新案登録請求の範囲】
【請求項１】
気密性あるビニールあるいはゴム等の弾性体で形成された空気を密閉できる複数の部屋を持つ袋体で、該袋体は主袋部屋に連結する複数の子袋部屋と前記袋体は空気の吸気排気する吸排気口と栓を備える、前記主袋部屋と子袋部屋各々が貫通する連結部を設け該連結部に各々発音体を固定した。前記子袋部屋を押すと、子袋部屋から主袋部屋に向かって空気が流れ連結部の該発音体に空気が通過して音が発生する、子袋部屋の押し圧を除いた時には袋体全体は内圧の均衡で形状が復元する。作用また、子袋部屋ゴム等の弾性復元で形状が復元し主袋部屋から子袋部屋に向かって空気が流れ連結部の該発音体を空気が通過してもどる、貫通する連結部に固定した該発音体に空気の流れで発音体から音が出ることを特徴としたクッション玩具楽器。
【請求項２】
気密性あるビニールあるいはゴム等の弾性体で形成された空気を密閉できる複数の部屋を持つ袋体で  該袋体は主袋部屋と主袋部屋に連結する複数の子袋部屋と前記袋体は空気の吸排気口と栓を備える、前記主袋部屋と子袋部屋とに貫通する連結部と該連結部に発音体を固定した。前記子袋部屋を押すと、子袋部屋から主袋部屋に向かって空気が流れ連結部の該発音体を空気が通過する、子袋部屋の押し圧を除いた時には袋体全体は内圧の均衡に戻す形状が復元し、また、子袋部屋ゴム等の弾性復元により主袋部屋から子袋部屋に向かって空気が流れ連結部の該発音体を通し空気が流れ形状が復元する、子袋部屋から主袋部屋に向かって空気が流れ連結部の該発音体を空気が通過する時にのみ発音体から音をでる片側気流でしか鳴らない発音体を固定したことを特徴としたクッション玩具楽器。
【考案の詳細な説明】
【技術分野】
【０００１】  本発明は、空気等気体を封じ込めた袋体に笛など気体の流れで音を発生させその音を楽しんだりメロディーを奏でたりできる玩具楽器に関する。
【背景技術】
【０００２】  従来例として警笛具やハーモニカ、鍵盤ハーモニカなど呼気の流れで音を奏でる楽器、座ると空気の排出する流れで音の出る玩具、歩くと鳴る履物等ありました。
【先行技術文献】
【特許文献】
【０００３】
【特許文献１】特願２００３−１７８９５８がある、３層にした四角型は凹み敷物の中間を中空にして排気口に笛を配置して空気が流れ込む吸気口を設け、２つ敷物を組み合わせた時に互いに吸気口には排気口が向かい合わせになり各々の敷物中空部に貫通する孔が形成される様にして排気口に設けた笛で音の出るようにした敷物、履物がある。
【非特許文献】
【０００４】
【非特許文献１】従来の警笛具の音だし、オルガン、アコーディオンは空気の流れで奏でる楽器、ハーモニカのような金属のリードを呼気吸気で鳴らす楽器、あるいは鍵盤ハーモニカのような金属のリードを呼気で鳴らす楽器があります。
【考案の概要】
【考案が解決しようとする課題】
【０００５】  従来のオルガン、アコーディオンは構造が複雑で操作が難しく重量があった、軽量であるハーモニカのような金属のリードを呼気吸気で鳴らす楽器、あるいは鍵盤ハーモニカのような金属のリードを呼気で鳴らす楽器は、長く演奏する為には呼吸をして楽器に息吹き込み続けなければならないことがあった。
この考案では、息吹き込みに依らない演奏ができるハーモニカ楽器であり、且つ風呂場あるいは水辺でも興ずることのできる楽器玩具を提供することを目的とする。
【課題を解決するための手段】
【０００６】  ビニールあるいはゴム等の弾性体で形成された空気の入る複数の部屋を持つ袋体で各々の袋体の空気口に各々発音体を固定し袋体を押して空気を吐き出して発音体から音を出るようにした。また、気密性あるビニールあるいはゴム等の弾性体で形成された別の主袋体の胴体に該複数の部屋を持つ袋体の各々の空気口に接合し、接合した各々連結部に発音体を固定した。
各袋体には空気が外部に漏れないようにして充満させて貫通する連結部の発音体に空気が流れて発音体から音を出るようにした。
【考案の効果】
【０００７】  空気が外部に漏れないように栓をして密閉された袋体は、長い時間繰り返し袋部を押したり叩いたりする度に空気が主袋部と複数の部屋袋部をそれぞれ行き来する、この空気の流れで発音体から音が出る。発音体は主袋部から部屋袋部に戻る流れの空気では音が発生しない、部屋袋部から主袋部に流れる気流の時にのみ音がでるようにした構造にすれば鍵盤楽器として提供できる。
また、風呂場あるいは水辺でも興ずることのできる楽器玩具とした。
【図面の簡単な説明】
【０００８】
【図１】基本実施例の平面構造断面図
【図２】基本実施例の［図１］のＡ−Ａ断面図
【図３】基本実施例の斜視図
【図４】応用実施例１の斜視図
【図５】応用実施例２の斜視図
【考案を実施するための形態】
【０００９】  空気を充満密閉するビニール、あるいはゴム等の弾性体で形成された主袋体と部屋袋部は、互いに貫通した連結部である。連結部には、発音体が固定配置されていて発音体の音の発生は貫通した連結部に出入りする空気の流れで音が発生する。
【実施例】
【００１０】  本考案は、単純な空気を密閉できる２つ以上の連結する袋に入れて該袋を押し込むことで演奏可能な楽器に適用した実施例を図１、図２、図３を参照しながら説明する、図４、図５はクッション玩具楽器を応用した例を示した斜視図である、図４は水遊びの浮き輪に連結した音の鳴るクッションであり水辺でも遊べる玩具である、図５は主袋部、部屋袋部の形状を変えた音の鳴るクッションである。【００１１】  実施例を図１、図２、図３を参照しながら説明する。主袋部１に吸排気口３から空気を入れ栓４で袋部全体に入った空気を密閉する、複数の子袋部２は主袋部１と各々の貫通した連結部５で通して子袋部２に空気が充満する。各々の子袋部２を押すと各々の連結部５に空気が流れる、空気の流６で規則正しい音階を各々の発音体７に設定しておくと、演奏する曲の音符に合った各々の子袋部２を手や足で押して発音体７から音を発生し、子袋部２から押している手や足を外して力を除けば空気は子袋部２に主袋部１から貫通した連結部５を通過して戻る、戻る空気の流れ８の時は発音体７では音が発生しない、この繰り返しで演奏が可能となる。【００１２】  図４は主袋体１をリング状にして音の出る浮き輪等水辺の玩具である。図１のクッションを連結部９で浮き輪は本体リング状チューブ１０に固定して水上でも興ずることができるようにした。本体リング状チューブ１０はチュウブ吸気排気口１１から空気を充満させてチュウブ栓１２で密閉して浮き輪としたので発音体を備えた水上でも安定した玩具として提供できる。【００１３】  図５は主袋部１と連結された子袋部２を例えばバナナの形状にして、バナナ一本一本に発音体を備えた玩具、楽器である。
【産業上の利用可能性】
【００１４】  発音体７は袋部１から袋部２流れる空気８では音が発生しない、袋部２から袋部１流れる空気６の時にのみ音がでるようにした構造にすれば鍵盤楽器として提供できる。【００１５】  袋部１と袋部２は、外形を大根やバナナ、ニンジンなど色々と変えることもできる。また袋体は、水遊びの浮き輪などリング状にして音の鳴る水泳玩具ができ、子袋体を多数配置し音階を設定すれば曲の演奏ができる玩具に提供することができる。呼吸を使う楽器でないので演奏者が歌いながら楽器を演奏することができる。主袋部１子袋部２に文字や絵を印刷できるので宣伝媒体としても効果がある。
【符号の説明】
【００１６】  １    袋部１
２    袋部２
３    吸気排気口
４    栓部
５    連結部
６    空気の流れ６
７    発音体
８    空気の流れ８
９    浮き輪連結部
１０    チュウブ
１１    チュウブ吸気排気口
１２    チュウブ栓
【図１】
0003171572.tif 000003
【図２】
0003171572.tif 000004
【図３】
0003171572.tif 000005
【図４】
0003171572.tif 000006
【図５】
0003171572.tif 000007
【手続補正書】
【提出日】平成23年8月11日(2011.8.11)
【手続補正１】
【補正対象書類名】明細書
【補正対象項目名】全文
【補正方法】変更
【補正の内容】
【考案の詳細な説明】
【技術分野】
【０００１】  本考案は、空気等気体を封じ込めた袋体に笛など気体の流れで音を発生させその音を楽しんだりメロディーを奏でたりできる玩具楽器に関する。
【背景技術】
【０００２】  従来例として警笛具やハーモニカ、鍵盤ハーモニカなど呼気の流れで音を奏でる楽器、座ると空気の排出する流れで音の出る玩具、歩くと鳴る履物等があった。
【先行技術文献】
【特許文献】
【０００３】
【特許文献１】特願２００３−１７８９５８がある、３層にした四角型は凹み敷物の中間を中空にして排気口に笛を配置して空気が流れ込む吸気口を設け、２つ敷物を組み合わせた時に互いに吸気口には排気口が向かい合わせになり各々の敷物中空部に貫通する孔が形成される様にして排気口に設けた笛で音の出るようにした敷物や、履物がある。
【非特許文献】
【０００４】
【非特許文献１】従来の警笛具の音だし、オルガン、アコーディオンは空気の流れで奏でる楽器、ハーモニカのような金属のリードを呼気吸気で鳴らす楽器、あるいは鍵盤ハーモニカのような金属のリードを呼気で鳴らす楽器がある。
【考案の概要】
【考案が解決しようとする課題】
【０００５】  従来のオルガン、アコーディオンは構造が複雑で操作が難しく重量があった、軽量であるハーモニカのような金属のリードを呼気吸気で鳴らす楽器、あるいは鍵盤ハーモニカのような金属のリードを呼気で鳴らす楽器は、呼吸器障害のある人には演奏が困難であった。
この考案では、息の吹き込みに依らない演奏ができるハーモニカ楽器であり、且つ風呂場あるいは水辺でも興ずることのできる楽器玩具を提供することを目的とした。
【課題を解決するための手段】
【０００６】  袋体内を流れる空気によるリード振動で音階を構成した楽器玩具において、ゴムあるいはナイロン等のように空気圧で伸縮可能な材質で構成した主袋部と、主袋部の密閉された空気が出入り可能に接続された複数の連結部と、該複数の連結部に対応して接続された複数の子袋部と、該複数の連結部の内部に各々の子袋部から主袋部へ流れる空気により各々が異なった音階の振動が可能な複数の発音体とを設け、前記子袋部を加圧すると、子袋部の内圧が上がり子袋部から主袋部に向かって空気が流れることにより各々が異なった音階の振動が可能な複数の発音体とを設けた。
【考案の効果】
【０００７】  空気が外部に漏れないように栓をして密閉された主袋部に連結部を介して接続された子袋体を、押したり叩いたりして加圧する度に子袋部の空気が主袋部へ流れた時のみ、連結部に設けられた発音体が固有振動する。発音体は音階振動が可能な複数の連結部で、子袋部を音階順に加圧することでメロディーを奏でることが出来るので簡易鍵盤楽器として提供できる。
また、主袋部と連結部をゴムやナイロンの様な材質で構成したので風呂場あるいは水辺でも興ずることのできる楽器玩具として実用できる効果がある。
【図面の簡単な説明】
【０００８】
【図１】基本実施例の平面構造断面図
【図２】基本実施例の［図１］のＡ−Ａ断面図
【図３】基本実施例の斜視図
【図４】応用実施例１の斜視図
【図５】応用実施例２の斜視図
【考案を実施するための形態】
【０００９】  空気を密閉するビニール、あるいはゴム等の弾性体で形成された主袋体と子袋部は、互いに貫通部に発音体が固定配置された連結部で連結されて、連結部に出入りする空気の流れで音が発生する。
【実施例】
【００１０】  本考案は、空気を密閉できる２つ以上の連結する袋に入れて該袋を加圧することで演奏可能な楽器に適用した実施例を図１、図２、図３を参照しながら説明する。
図４、図５はクッション玩具楽器を応用した例を示した斜視図である、図４は水遊びの浮き輪に連結した音の鳴るクッションであり水辺でも遊べる玩具である。
図５は主袋部１、子袋部２の形状を変えた音の鳴るクッションである。【００１１】  実施例を図１、図２、図３を参照しながら説明する。主袋部１に吸排気口３から空気を入れ栓４で袋部全体に入った空気を密閉する。複数の子袋部２は主袋部１と各々の貫通した連結部５を通して子袋部２に空気が充満する。各々の子袋部２を加圧すると各々の連結部５に空気が流れる。空気の流６によりリード板状の発音体７が固有振動することで音が発生する。発音体７の周囲に僅かな空間を開けた窓９に空気の流６が一時的に分断されて僅かな空間の窓９に流れ込む速度が速いため、空気の圧力差が生じリード板状の発音体７が窓９に引き込まれるリード板状の発音体７の弾力で元に戻る、この２つの繰り返しで発音体７が上下に振幅し決まった周期の固有振動をする。子袋部２から加圧している力を除けば、袋部全体の空気圧は均衡し空気の流れ８で主袋部１から子袋部２に連結部５を通過して戻る。戻る空気の流れ８の時は発音体７では音が発生しない。この繰り返しで音を出すことが可能となる。【００１２】  図４は主袋体１をリング状にして音の出る浮き輪等水辺の玩具である。図１のクッションを連結部１０で浮き輪は本体リング状チューブ１１に固定して水上でも興ずることができるようにした。本体リング状チューブ１１はチュウブ吸気排気口１２から空気を充満させてチュウブ栓１３で密閉して浮き輪としたので発音体を備えた水上でも安定した玩具として提供できる。【００１３】  図５は主袋部１と連結された子袋部２を例えばバナナの形状にして、バナナ一本一本に発音体を備えた玩具楽器である。
【産業上の利用可能性】
【００１４】  発音体７は主袋部１から子袋部２流れる空気８では音が発生せず、子袋部２から主袋部１に流れる空気の流れ６の時にのみ音がでるようにした構造すれば遊具楽器のみならず鍵盤楽器として提供できる。【００１５】  袋部１と袋部２は、外形を大根やバナナ、ニンジンなど色々と変えることもできる。また袋体は、水遊びの浮き輪などリング状にして音の鳴る水泳玩具ができ、子袋体を多数配置し音階を設定すれば曲の演奏ができる玩具に提供することができる。呼吸を使う楽器でないので演奏者が歌いながら楽器を演奏することができる。主袋部１子袋部２に文字や絵を印刷できるので宣伝媒体としても効果がある。
【符号の説明】
【００１６】１    主袋部
２    子袋部
３    吸気排気口
４    栓部
５    連結部
６    空気の流れ
７    発音体
８    空気の流れ
９    窓
１０  浮き輪連結部
１１  チュウブ
１２  チュウブ吸気排気口
１３  チュウブ栓
【手続補正２】
【補正対象書類名】実用新案登録請求の範囲
【補正対象項目名】全文
【補正方法】変更
【補正の内容】
【実用新案登録請求の範囲】
【請求項１】
袋体内を流れる空気によるリード振動で音階を構成した楽器玩具において、ゴムあるいはナイロン等のように空気圧で伸縮可能な材質で構成した主袋部と、主袋部の密閉された空気が出入り可能に接続された複数の連結部と、該複数の連結部に対応して接続された複数の子袋部と、該複数の連結部の内部に各々の子袋部から主袋部へ流れる空気により各々が異なった音階の振動が可能な複数の発音体とを設け、前記子袋部を加圧すると、子袋部の内圧が上がり子袋部から主袋部に向かって空気が流れることによって該各々の発音体が音階振動することを特徴としたクッション玩具楽器。
【手続補正３】
【補正対象書類名】図面
【補正対象項目名】全図
【補正方法】変更
【補正の内容】
【図１】
0003171572.tif 000008
【図２】
0003171572.tif 000009
【図３】
0003171572.tif 000010
【図４】
0003171572.tif 000011
【図５】
0003171572.tif 000012